(57)【要約】【課題】  封止部分を小さくして、機器全体の小型化を図ることができる表示装置を提供する。【解決手段】  透明な表面電極層５と背面電極層６との間にマイクロカプセル９を敷き詰めた表示層７が設けられた表示素子２と、表面電極層５の上面に設けられた透明な表面保護膜３と、背面電極層６の下面に設けられた背面保護膜４とを備え、表面保護膜３を表示素子２の端面から側方に延出させ、この延出した表面保護膜３を表示素子２の端面に沿って折り曲げ、この折り曲げた先端部３ａを背面保護膜４の背面に折り曲げて接合した。従って、折り曲げられた表面保護膜３によって表示層７を確実に封止して、表示層７を湿気から確実に保護することができる。また、表示素子２の端部の封止部分１８を表面保護膜３の厚みとほぼ同じ大きさに形成できるので、封止部分１８を小さく形成でき、これにより表示領域を一定の大きさに形成しても、機器全体の小型化が図れる。【選択図】        図１
2008107438.tif 000002
【特許請求の範囲】
【請求項１】
透明な表面電極層と背面電極層との間に表示層を設けた表示素子と、
前記透明な表面電極層の表面に設けられた透明な表面保護膜と、
前記背面電極層の背面に設けられた背面保護膜とを備えた表示装置において、
前記表面保護膜を前記表示素子の端面から側方に延出させ、この延出した前記表面保護膜を前記表示素子の端面に沿って折り曲げ、この折り曲げた前記表面保護膜の先端部を前記背面保護膜の背面に折り曲げて接合したことを特徴とする表示装置。
【請求項２】
前記表示素子の前記表示層は、微細なカプセルを前記表面電極層と前記背面電極層との間に平面的に敷き詰めた構成で、前記表示素子は、前記表面電極層と前記背面電極層とに電圧が印加されると、前記カプセル内の微粒子が電気的に移動して情報を表示することを特徴とする請求項１に記載の表示装置。
【請求項３】
前記表示素子の前記表示層は、エレクトロルミネセンス発光層であり、前記表示素子は、前記表面電極層と前記背面電極層とに電圧が印加されると、前記エレクトロルミネセンス発光層が選択的に発光して情報を表示することを特徴とする請求項１に記載の表示装置。
【請求項４】
前記表面保護膜は、防湿性の高い合成樹脂製の第１フィルム層と、紫外線吸収機能を備えた合成樹脂製の第２フィルム層との２層構造であることを特徴とする請求項１〜３のいずれかに記載の表示装置。
【発明の詳細な説明】
【技術分野】
【０００１】
この発明は、電子腕時計や、携帯電話機、電子辞書などの各種の電子機器に用いられる表示装置に関する。
【背景技術】
【０００２】
従来、電子腕時計などの電子機器に用いられる表示装置には、マイクロカプセルを用いた表示装置が知られている。この種の表示装置は、特許文献１に記載されているように、透明な表面電極層と背面電極層との間に表示層としてマイクロカプセルを平面的に敷き詰めることにより、表示素子を構成し、この表示素子の背面電極層を基板上に設け、この状態で表面電極層の表面に透明な保護膜を設けた構成になっている。
【特許文献１】特開２００６−１４５６１５号
【発明の開示】
【発明が解決しようとする課題】
【０００３】
このような従来の表示装置では、表面電極層と背面電極層とに電圧が印加されると、表示層のマイクロカプセル内の微粒子が電気泳動によって移動することにより、情報を表示するが、表示層のマイクロカプセルが湿気に弱いため、表示素子の端面を透明な保護膜で覆う必要がある。このため、従来の表示装置では、基板を表示素子よりも大きく形成して表示素子の側方に突出させ、この突出した部分の基板上に表面電極層を覆う保護膜の端部を表示素子の側方に延出させて重ね合わせ、この状態で保護膜の端部を基板上に接合することにより、表示素子の端面を確実に封止することが望ましい。
【０００４】
しかしながら、この従来の表示装置では、基板上に保護膜の端部を表示素子の側方に延出させて重ね合わせ、この状態で保護膜の端部を基板上に確実に接合するために、例えば図５および図６に示すように、基板上に重なる保護膜の端部を、その保護膜の厚みよりも大きく延出させないと、確実に接合することができないため、表示素子の周囲に封止部分が大きく形成されることになる。
【０００５】
このため、このような従来の表示装置を腕時計などの電子機器に組み付けた場合には、表示領域を一定の大きさに形成すると、表示素子の側方に保護膜の厚みよりも大きく突出して形成された封止部分によって、機器全体が大型化するという問題がある。なお、このような問題は、表面電極層と背面電極層との間にＥＬ（エレクトロルミネッセンス）発光層を設けた表示装置においても、同様に起こる。
【０００６】
この発明が解決しようとする課題は、表示素子の側方に突出して形成される封止部分を小さくして、機器全体の小型化を図ることができる表示装置を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図４に示すように、透明な表面電極層（５）と背面電極層（６）との間に表示層（マイクロカプセル９の表示層７、またはＥＬ発光層３２）を設けた表示素子（２、３１）と、前記透明な表面電極層の表面に設けられた透明な表面保護膜（３）と、前記背面電極層の背面に設けられた背面保護膜（４）とを備えた表示装置において、
前記表面保護膜を前記表示素子の端面から側方に延出させ、この延出した前記表面保護膜を前記表示素子の端面に沿って折り曲げ、この折り曲げた前記表面保護膜の先端部（３ａ）を前記背面保護膜の背面に折り曲げて接合したことを特徴とする表示装置である。
【０００９】
請求項２に記載の発明は、図１および図２に示すように、前記表示素子（２）の前記表示層（７）が、微細なカプセル（マイクロカプセル９）を前記表面電極層（５）と前記背面電極層（６）との間に平面的に敷き詰めた構成であり、前記表示素子は、前記表面電極層と前記背面電極層とに電圧が印加されると、前記カプセル内の微粒子が電気的に移動して情報を表示することを特徴とする請求項１に記載の表示装置である。
【００１０】
請求項３に記載の発明は、図３および図４に示すように、前記表示素子（３１）の前記表示層が、エレクトロルミネセンス発光層（ＥＬ発光層３２）であり、前記表示素子は、前記表面電極層（５）と前記背面電極層（６）とに電圧が印加されると、前記エレクトロルミネセンス発光層が選択的に発光して情報を表示することを特徴とする請求項１に記載の表示装置である。
【００１１】
請求項４に記載の発明は、図１〜図４に示すように、前記表面保護膜（３）が、防湿性の高い合成樹脂製の第１フィルム層（第１表面フィルム層１１）と、紫外線吸収機能を備えた合成樹脂製の第２フィルム層（第２表面フィルム層１２）との２層構造であることを特徴とする請求項１〜３のいずれかに記載の表示装置である。
【発明の効果】
【００１２】
請求項１に記載の発明によれば、表示素子における透明な表面電極層と背面電極層との間に設けられた表示層が湿気に弱くても、透明な表面電極層の表面に設けられた透明な表面保護膜を表示素子の端面から側方に延出させ、この延出した表面保護膜を表示素子の端面に沿って折り曲げ、この折り曲げた表面保護膜の先端部を背面電極層の背面に設けられた背面保護膜の背面に折り曲げて接合しているので、この折り曲げられた表面保護膜によって表示層を確実に封止することができ、これにより表示層を湿気から確実に保護することができる。
【００１３】
この場合、表面保護膜を表示素子の端面から側方に延出させても、この延出した表面保護膜は表示素子の端面に沿って折り曲げられ、この折り曲げられた表面保護膜の先端部が背面保護膜の背面に折り曲げられて接合されているので、表面保護膜が表示素子の側方に大きく突出することがなく、表示素子の端部から側方に突出する封止部分を表面保護膜の厚みとほぼ同じ大きさに形成することができる。このため、表面保護膜の端部と背面保護膜の端部とを表示素子の側方にそれぞれ突出させて重ね合わせた状態で接合する場合に比べて、表示素子の側方に突出する封止部分を小さく形成することができるので、表示領域を一定の大きさに形成しても、機器全体の小型化を図ることができる。
【００１４】
請求項２に記載の発明によれば、表示素子の表示層が微細なカプセルを表面電極層と背面電極層との間に平面的に敷き詰めた構成であり、表示素子は、表面電極層と背面電極層とに電圧が印加されると、カプセル内の微粒子が電気的に移動して情報を表示する構成であるから、表面電極層と背面電極層との間に平面的に敷き詰めた微細なカプセルが湿気に弱くても、請求項１に記載の発明と同様、表面保護膜によって微細なカプセルを湿気から確実に保護することができると共に、表示素子の端部から側方に突出する封止部分を表面保護膜の厚みとほぼ同じ大きさに小さく形成することができるので、表示領域を一定の大きさに形成しても、機器全体の小型化を図ることができる。
【００１５】
請求項３に記載の発明によれば、表示素子の表示層がエレクトロルミネセンス発光層であり、表示素子は、表面電極層と背面電極層とに電圧が印加されると、エレクトロルミネセンス発光層が選択的に発光して情報を表示する構成であるから、エレクトロルミネセンス発光層が湿気に弱くても、請求項１に記載の発明と同様、表面保護膜によってエレクトロルミネセンス発光層を湿気から確実に保護することができると共に、表示素子の端部から側方に突出する封止部分を表面保護膜の厚みとほぼ同じ大きさに小さく形成することができるので、表示領域を一定の大きさに形成しても、機器全体の小型化を図ることができる。
【００１６】
請求項４に記載の発明によれば、表面保護膜が、防湿性の高い合成樹脂製の第１フィルム層と、紫外線吸収機能を備えた合成樹脂製の第２フィルム層との２層構造であることにより、表示層が湿気に弱くても、第１フィルム層によって表示層に対する防湿性を確保することができ、また表示層が紫外線に弱くても、第２フィルム層によって表示層を紫外線から保護することができ、これにより表示層が湿気や紫外線によって劣化するのを防ぐことができるので、耐久性の高いものを得ることができる。  
【発明を実施するための最良の形態】
【００１７】
（実施形態１）
以下、図１、図２、図５を参照して、この発明の表示装置を腕時計に適用した実施形態１について説明する。
図１はこの発明の表示装置を示した要部の拡大断面図、図２は図１の表示装置を腕時計に組み付けた場合の要部を示した拡大断面図、図５は従来構造の表示装置を腕時計に組み付けた場合の要部を示した拡大断面図である。
この表示装置１は、図１に示すように、表示素子２と、この表示素子２の上面に設けられた表面保護膜３と、表示素子２の下面に設けられた背面保護膜４とを備えている。
【００１８】
表示素子２は、図１に示すように、透明な表面電極層５と背面電極層６との間に表示層７を設けた構成になっている。すなわち、この表示素子２の表示層７は、図１に示すように、粘着層８上にマイクロカプセル９をバインダ１０によって平面的に敷き詰めたものであり、マイクロカプセル９内には、微粒子と、この微粒子を分散させる分散剤とが充填されている。微粒子は、分散剤中で電位差による電気泳動により移動する性質を有するものである。これにより、表示素子２は、表面電極層５と背面電極層６とに電圧が印加されると、マイクロカプセル９内の微粒子が分散剤中で電位差による電気泳動により移動し、この移動した微粒子によって情報を表示するように構成されている。
【００１９】
この場合、表示素子２の透明な表面電極層５は、図１に示すように、透明な合成樹脂製のフィルム５ａの下面に、ＩＴＯ（酸化インジウム）などの透明な導電性材料からなる透明電極５ｂを形成したものである。この表面電極層５の透明なフィルム５ａの材料としては、例えば、ポリエチレンテレフタレート（ＰＥＴ）、ポリエーテルスルホン（ＰＥＳ）、ポリカーボネイト（ＰＣ）などを用いることが好ましい。
【００２０】
また、背面電極層６は、図１に示すように、合成樹脂製のフィルム６ａの上面に銅やカーボンなどの導電性の高い材料からなる画素電極６ｂを形成したものである。この背面電極層６のフィルム６ａの材料としては、表面電極層５のフィルム５ａと同じ材料であっても良いが、必ずしも透明である必要がないので、ポリエチレンナフタレート（ＰＥＮ）などのポリエステル、ポリエチレン（ＰＥ）、ポリスチレン（ＰＳ）、ポリプロピレン（ＰＰ）、ポリエーテルエーテルケトン（ＰＥＥＫ）、アクリル、あるいはポリアクリレート類などを用いても良い。
【００２１】
また、表示層７のマイクロカプセル９は、微粒子および分散剤を収容するものであり、このマイクロカプセル９の隔膜を形成する材料としては、アラビアゴム・ゼラチンの複合膜、ウレタン樹脂、ウレア樹脂、尿素樹脂などの化合物が用いられている。微粒子は、分散剤中で電位差による電気泳動により移動する性質を有するものであり、この微粒子としては、黒色顔料、白色顔料、黄色顔料、赤色顔料、青色顔料、緑色顔料などの１種類または２種類以上が用いられている。
【００２２】
この場合、黒色顔料としては、アニリンブラック、カーボンブラック、チタンブラックなどであり、白色顔料としては、二酸化チタン、亜鉛華、三酸化アンチモンなどであり、黄色顔料としては、モノアゾ、ジスアゾ、ポリアゾなどのアゾ系顔料、イソインドリノン、黄鉛、黄色酸化鉄、カドミウムイエロ、チタンイエロ、アンチモンなどであり、赤色顔料としては、モノアゾ、ジスアゾ、ポリアゾなどのアゾ系顔料、キナクリドンレッド、クロムバーミリオンなどであり、青色顔料としては、フタロシアニンブルー、インダスレンブルー、アントラキノン系染料、紺青、群青、コバルトブルーなどであり、緑色顔料としては、フタロシアニングリーンなどである。
【００２３】
また、微粒子を分散させる分散剤としては、水、メタノール、エタノール、イソプロパノール、ブタノール、オクタノール、メチルセルソルブなどのアルコール系溶媒、酢酸エチル、酢酸ブチルなどの各種エステル類、アセトン、メチルエチルケトン、メチルイソブチルケトンなどのケトン類、ペンタン、ヘキサン、オクタンなどの脂肪族炭化水素、シクロへキサン、メチルシクロへキサンなどの脂環式炭化水素、ベンゼン、トルエン、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼンなどの長鎖アルキル基を有するベンゼン類などの芳香族炭化水素、塩化メチレン、クロロホルム、四塩化炭素、１，２−ジクロロエタンなどのハロゲン化炭化水素、カルボン酸塩またはその他の種々の油類などの単独、またはこれらの混合物に界面活性剤などを配合したものを用いることが好ましい。
【００２４】
また、マイクロカプセル９を固定するバインダ１０としては、マイクロカプセル９の隔膜と親和性が良好で、基材との密着性に優れ、且つ絶縁性を有するものが好ましい。例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂などの熱可塑性樹脂が好ましいが、以下のような各種の材料を用いても良い。
【００２５】
すなわち、バインダ１０の材料としては、上記のほかに、ポリアミド系樹脂、ポリアセタール、ポリカーボネイト、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフェニレンエーテル、ポリエーテルエテルケント、ポリエーテルイミドなどの高分子、またはポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴムなどのフッ素系樹脂、あるいはシリコーン樹脂、シリコーンゴムなどの珪素樹脂を用いても良い。
【００２６】
表示層７の粘着層８は、図１に示すように、その上面にマイクロカプセル９を平面的に配列するためのものであり、バインダ１０と同様、マイクロカプセル９の隔膜と親和性が良好で、絶縁性を有するものが好ましい。このため、この粘着層８の材料としては、例えば、ウレタン樹脂が好ましいが、これに限らず、バインダ１０と同様、各種の熱可塑性樹脂、各種の高分子、各種のフッ素系樹脂、各種の珪素樹脂などを用いても良い。
【００２７】
ところで、表示素子２の上面に設けられた表面保護膜３は、図１に示すように、防湿性の高い合成樹脂製の第１表面フィルム層１１と、紫外線吸収機能を備えた合成樹脂製の第２表面フィルム層１２との２層構造になっている。第１表面フィルム層１１は、透明な合成樹脂製のフィルムであり、表示素子２の表面電極層５上に接着剤１３によって接着されている。この第１表面フィルム層１１の材料としては、表示素子２の表面電極層５の透明なフィルム５ａと同様、ポリエチレンテレフタレート（ＰＥＴ）、ポリエーテルスルホン（ＰＥＳ）、ポリカーボネイト（ＰＣ）などが好ましい。
【００２８】
また、第２表面フィルム層１２は、紫外線吸収機能を備えた透明な合成樹脂製のフィルムであり、例えば、透明な合成樹脂製のフィルム中に紫外線吸収剤を含有させたもの、または透明な合成樹脂製のフィルムの上面または下面に紫外線吸収膜を設けたものである。この第２表面フィルム層１２は、第１表面フィルム層１１の上面に接着剤１３によって接着されており、この第２表面フィルム層１２の透明な合成樹脂製のフィルムの材料としては、第１表面フィルム層１１と同様、ポリエチレンテレフタレート（ＰＥＴ）、ポリエーテルスルホン（ＰＥＳ）、ポリカーボネイト（ＰＣ）などが好ましい。
【００２９】
一方、表示素子２の下面に設けられた背面保護膜４は、図１に示すように、防湿性の高い合成樹脂製の第１、第２背面フィルム層１４、１５の２層構造になっている。第１背面フィルム層１４は、防湿性が高く、且つ光を反射する性質を有するアルミ箔が好ましいが、フィルムの表面にアルミなどの金属層を設けたものでも良い。すなわち、この第１背面フィルム層１４は、背面電極層６が透明な樹脂で形成されている場合、表示素子２に上面側から入射した光を反射し、表示層７に表示された情報を明るく照明するためのものであり、表示素子２の背面電極層６の下面に接着剤１６によって接着されている。
【００３０】
また、第２背面フィルム層１５は、防湿性の高い合成樹脂からなり、その材料としては、表面保護膜３の第１表面フィルム１１と同じ材料であっても良いが、必ずしも透明である必要がないので、ポリエチレンナフタレート（ＰＥＮ）などのポリエステル、ポリエチレン（ＰＥ）、ポリスチレン（ＰＳ）、ポリプロピレン（ＰＰ）、ポリエーテルエーテルケトン（ＰＥＥＫ）、アクリル、あるいはポリアクリレート類などを用いても良い。
【００３１】
このような表示装置１は、図１に示すように、表面保護膜３が表示素子２の端面から側方に延出され、この延出された表面保護膜３が表示素子２の端面に沿って折り曲げられ、この折り曲げられた表面保護膜３の先端部３ａが背面保護膜４の下面に折り曲げられて接合され、これにより表示素子２の端部を封止するように構成されている。この場合、表面保護膜３の厚みは約１８８．５μｍで、表示素子２の厚みは約１００μｍである。すなわち、表示素子２の表示層７の厚みは約６０μｍで、この表示層７のマイクロカプセル９の層厚は約４０μｍである。従って、この表示装置１では、表示素子２の端部から側方に突出した封止部分１８が表面保護膜３の厚み（約１８８．５μｍ≒約２.０ｍｍ）とほぼ同じ大きさに形成されている。
【００３２】
この表示装置１が組み込まれる腕時計は、図２に示すように、腕時計ケース２０の上部に時計ガラス２１がパッキン２２を介して取り付けられ、この腕時計ケース２０内にハウジング２３が配置され、このハウジング２３に表示装置１が時計ガラス２１に対応して設けられた構成になっている。この場合、腕時計ケース２０の上部内周面には、時計ガラス２１の外周部の下面が当接する鍔部２０ａが設けられている。
【００３３】
また、ハウジング２３の上部内周面には、図２に示すように、表示装置１の外周部の上面、つまり表面保護膜３の外周面から表示素子２の端部に対応する箇所の間に位置する表面保護膜３の外周側の上面に当接して封止部分１８覆う鍔部２３ａが、腕時計ケース２０の鍔部２０ａの下側に対応して設けられている。すなわち、このハウジング２３の鍔部２３ａは、表示素子２の端部から側方に突出する封止部分１８に対応する大きさ（Ｈ１≒約２.０ｍｍ）に形成されている。
【００３４】
このように、この表示装置１によれば、表示素子２における透明な表面電極層５と背面電極層６との間に設けられた表示層７が、マイクロカプセル９を表面電極層５と背面電極層６との間に平面的に敷き詰めた構成で、表示素子２の表面電極層５と背面電極層６とに電圧が印加されると、マイクロカプセル９内の微粒子が電気的に移動して情報を表示する構成であることにより、マイクロカプセル９が湿気に弱くても、表面保護膜３によってマイクロカプセル９を湿気から確実に保護することができる。
【００３５】
すなわち、表示素子２の透明な表面電極層５の上面に設けられた透明な表面保護膜３は、表示素子２の端面から側方に延出され、この延出された表面保護膜３が表示素子２の端面に沿って折り曲げられ、この折り曲げられた表面保護膜３の先端部３ａが背面電極層６の下面に設けられた背面保護膜４の下面に折り曲げられて接合されているので、この折り曲げられた表面保護膜３によって表示素子２の表示層７を確実に封止することができ、これにより表示層７のマイクロカプセル９を湿気から確実に保護することができる。
【００３６】
この場合、表面保護膜３は、表示素子２の端面から側方に延出されていても、この延出された表面保護膜３が表示素子２の端面に沿って折り曲げられ、この折り曲げられた表面保護膜３の先端部３ａが背面保護膜４の下面に折り曲げられて接合されているので、図１および図２に示すように、表面保護膜３が表示素子２の側方に大きく突出することがなく、表示素子２の端部から側方に突出する封止部分１８を表面保護膜３の厚みとほぼ同じ大きさに形成することができる。
【００３７】
このため、表示素子２の端部から側方に突出した封止部分１８を小さくすることができるので、図２に示すように、表示領域を一定の大きさＷに形成しても、腕時計ケース２０全体の小型化を図ることができる。すなわち、この表示装置１を腕時計ケース２０に組み込んだ場合には、図２に示すように、表示素子２の端部から側方に突出した封止部分１８が表面保護膜３の厚み（約１８８．５μｍ≒約２.０ｍｍ）とほぼ同じ大きさになる。
【００３８】
これに対し、図５に示すように、表面保護膜３の端部を表示素子２の端面から側方に延出させ、この延出した表面保護膜３の端部を背面保護膜４の端部上面に重ね合わせて接合した従来構造の表示装置２６の場合には、表示素子２の端部から側方に突出して接合された封止部分２７全体の長さが約３.５ｍｍの大きさになる。つまり、この封止部分２７全体の突出した長さは、表面保護膜３の厚み（約２.０ｍｍ）と接合部の長さ（約１.５ｍｍ）との和（３.５ｍｍ＝２.０ｍｍ＋１.５ｍｍ）である。
【００３９】
従って、表面保護膜３を表示素子２の端面に沿って折り曲げ、その先端部３ａを背面保護膜４の下面に折り曲げて接合したこの実施形態１の表示装置１では、図２示すように、ハウジング２３の鍔部２３ａが表示素子２の端部から突出した封止部分１８に対応する大きさ（Ｈ１＝約２.０ｍｍ）に形成される。これに対し、図５に示すように、表面保護膜３の端部を表示素子２の端面から側方に延出させ、この延出した表面保護膜３の端部を背面保護膜４の端部上面に重ね合わせて接合した従来構造の表示装置２６では、ハウジング２３の鍔部２３ｂが表示素子２の端部から側方に突出した封止部分２７に対応する大きさ（Ｈ２＝約３.５ｍｍ）に形成される。
【００４０】
これにより、腕時計ケース２０の肉厚Ｔ１とハウジング２３の肉厚Ｔ２とを一定の厚みに形成し、表示領域を一定の大きさＷに形成した場合、表面保護膜３を表示素子２の端面に沿って折り曲げ、その先端部３ａを背面保護膜４の下面に折り曲げて接合した図２に示すこの実施形態１の表示装置１は、図５に示すように、表面保護膜３の端部を表示素子２の端面から側方に延出させ、この延出した表面保護膜３の端部を背面保護膜４の端部上面に重ね合わせて接合した従来構造の表示装置２６よりも、両者の封止部分１８、２７の差の分だけ、ハウジング２３の外形を小さくすることができ、これにより腕時計ケース２０全体の外形を小さくすることができる。
【００４１】
また、この表示装置１では、表面保護膜３が、防湿性の高い合成樹脂製の第１表面フィルム層１１と、紫外線吸収機能を備えた合成樹脂製の第２表面フィルム層１２との２層構造であることにより、表示層７のマイクロカプセル９が湿気に弱くても、第１表面フィルム層１１によって表示層７のマイクロカプセル９に対する防湿性を確保することができ、また表示層７のマイクロカプセル９が紫外線に弱くても、第２表面フィルム層１２によって表示層７のマイクロカプセル９を紫外線から保護することができ、これにより表示層７のマイクロカプセル９が湿気や紫外線によって劣化するのを防ぐことができるので、耐久性の高いものを得ることができる。
【００４２】
（実施形態２）
次に、図３、図４、図６を参照して、この発明の表示装置を腕時計に適用した実施形態２について説明する。なお、図１および図２に示された実施形態１と同一部分には同一符号を付して説明する。
この表示装置３０は、表示素子３１の表示層としてＥＬ（エレクトロルミネセンス）発光層３２を用いた構成であり、これ以外は実施形態１とほぼ同様に構成されている。
【００４３】
すなわち、この表示素子３１は、図３に示すように、透明な表面電極層５と背面電極層６との間に表示層としてＥＬ発光層３２を設け、表面電極層５と背面電極層６とに電圧が印加されると、ＥＬ発光層３２が選択的に発光して情報を表示するように構成されている。この場合、表示素子３１のＥＬ発光層３２は、有機ＥＬまたは無機ＥＬからなり、電圧が印加されると、蛍光を発するものである。
【００４４】
また、この表示素子３１の透明な表面電極層５は、実施形態１と同様、透明な合成樹脂製のフィルム５ａの下面に、ＩＴＯ（酸化インジウム）などの透明な導電性材料からなる透明電極５ｂを形成したものである。この表面電極層５の透明なフィルム５ａの材料としては、実施形態１と同様、例えば、ポリエチレンテレフタレート（ＰＥＴ）、ポリエーテルスルホン（ＰＥＳ）、ポリカーボネイト（ＰＣ）などが好ましい。
【００４５】
また、背面電極層６も、実施形態１と同様、合成樹脂製のフィルム６ａの上面に銅やカーボンなどの導電性の高い材料からなる画素電極６ｂを形成したものである。この背面電極層６のフィルム６ａの材料としては、表面電極層５のフィルム５ａと同じ材料であっても良いが、必ずしも透明である必要がないので、ポリエチレンナフタレート（ＰＥＮ）などのポリエステル、ポリエチレン（ＰＥ）、ポリスチレン（ＰＳ）、ポリプロピレン（ＰＰ）、ポリエーテルエーテルケトン（ＰＥＥＫ）、アクリル、あるいはポリアクリレート類などを用いても良い。
【００４６】
ところで、この表示素子３１の上面に設けられた表面保護膜３は、実施形態１と同様、防湿性の高い合成樹脂製の第１表面フィルム層１１と、紫外線吸収機能を備えた合成樹脂製の第２表面フィルム層１２との２層構造になっている。第１表面フィルム層１１は、透明な合成樹脂製のフィルムであり、表示素子３１の表面電極層５上に接着剤１３によって接着されている。この第１表面フィルム層１１の材料としては、表示素子３１の表面電極層５の透明なフィルム５ａと同様、ポリエチレンテレフタレート（ＰＥＴ）、ポリエーテルスルホン（ＰＥＳ）、ポリカーボネイト（ＰＣ）などが好ましい。
【００４７】
第２表面フィルム層１２も、実施形態１と同様、紫外線吸収機能を備えた透明な合成樹脂製のフィルムであり、透明な合成樹脂製のフィルム中に紫外線吸収剤を含有させたもの、または透明な合成樹脂製のフィルムの上面または下面に紫外線吸収膜を設けたものである。この第２表面フィルム層１２は、第１表面フィルム層１１の上面に接着剤１３によって接着されており、第２表面フィルム層１２の透明な合成樹脂製のフィルムの材料としては、第１表面フィルム層１１と同様、ポリエチレンテレフタレート（ＰＥＴ）、ポリエーテルスルホン（ＰＥＳ）、ポリカーボネイト（ＰＣ）などが好ましい。
【００４８】
一方、表示素子３１の下面に設けられた背面保護膜４も、実施形態１と同様、防湿性の高い合成樹脂製の第１、第２背面フィルム層１４、１５の２層構造になっている。第１背面フィルム層１４は、防湿性が高く、且つ光を反射する性質を有するアルミ箔が好ましいが、フィルムの表面にアルミなどの金属層を設けたものでも良い。すなわち、この第１背面フィルム層１４は、背面電極層６が透明な樹脂で形成されている場合、ＥＬ発光層３２で発光した光を反射し、表示された情報を明るく照明するためのものであり、表示素子３１の背面電極層６の下面に接着剤１６によって接着されている。
【００４９】
また、第２背面フィルム層１５は、防湿性の高い合成樹脂からなり、その材料としては、表面保護膜３の第１表面フィルム１１と同じ材料であっても良いが、必ずしも透明である必要がないので、ポリエチレンナフタレート（ＰＥＮ）などのポリエステル、ポリエチレン（ＰＥ）、ポリスチレン（ＰＳ）、ポリプロピレン（ＰＰ）、ポリエーテルエーテルケトン（ＰＥＥＫ）、アクリル、あるいはポリアクリレート類などを用いても良い。
【００５０】
このような表示装置３０は、図３に示すように、表面保護膜３が表示素子３１の端面から側方に延出され、この延出された表面保護膜３が表示素子３１の端面に沿って折り曲げられ、この折り曲げられた表面保護膜３の先端部３ａが背面保護膜４の下面に折り曲げられて接合され、これにより表示素子３１の端部を封止するように構成されている。この場合、表面保護膜３の厚みは、実施形態１と同様、約１８８．５μｍであり、これに伴って、この表示装置３０では、表示素子３１の端部から側方に突出する封止部分３３は、表面保護膜３の厚み（約１８８．５μｍ≒約２.０ｍｍ）とほぼ同じ大きさに形成されている。
【００５１】
この表示装置３０が組み込まれる腕時計は、図４に示すように、腕時計ケース２０の上部に時計ガラス２１がパッキン２２を介して取り付けられ、この腕時計ケース２０内にハウジング２３が配置され、このハウジング２３に表示装置３０が時計ガラス２１に対応して設けられた構成になっている。この場合にも、腕時計ケース２０の上部内周面には、時計ガラス２１の外周部の下面が当接する鍔部２０ａが設けられている。
【００５２】
また、ハウジング２３の上部内周面には、表示装置３０の外周部の上面、つまり表面保護膜３の外周面から表示素子３１の端部に対応する箇所までに位置する表面保護膜３の外周側の上面に当接して封止部分３３を覆う鍔部２３ａが、腕時計ケース２０の鍔部２０ａの下側に対応して設けられている。すなわち、このハウジング２３の鍔部２３ａは、表示素子３１の端部から側方に突出した封止部分３３に対応する大きさ（Ｈ３≒約２.０ｍｍ）に形成されている。
【００５３】
このように、この表示装置３０によれば、表示素子３１における透明な表面電極層５と背面電極層６との間に表示層であるＥＬ発光層３２を設けた構成で、この表示素子３１の表面電極層５と背面電極層６とに電圧が印加されると、ＥＬ発光層３２が選択的に発光して情報を表示する構成であることにより、ＥＬ発光層３２が湿気に弱くても、表面保護膜３によってＥＬ発光層３２を湿気から確実に保護することができる。
【００５４】
すなわち、表示素子３１の透明な表面電極層５の上面に設けられた透明な表面保護膜３は、表示素子３１の端面から側方に延出され、この延出された表面保護膜３が表示素子３１の端面に沿って折り曲げられ、この折り曲げられた表面保護膜３の先端部３ａが背面電極層６の下面に設けられた背面保護膜４の下面に折り曲げられて接合されているので、この折り曲げられた表面保護膜３によって表示素子３１のＥＬ発光層３２を確実に封止することができ、これによりＥＬ発光層３２を湿気から確実に保護することができる。
【００５５】
この場合、表面保護膜３は、表示素子３１の端面から側方に延出されていても、この延出された表面保護膜３が表示素子３１の端面に沿って折り曲げられ、この折り曲げられた表面保護膜３の先端部３ａが背面保護膜４の下面に折り曲げられて接合されているので、図３および図４に示すように、表面保護膜３が表示素子３１の側方に大きく突出することがなく、表示素子３１の端部から側方に突出する封止部分３３を表面保護膜３の厚みとほぼ同じ大きさに形成することができる。
【００５６】
このため、表示素子３１の端部から側方に突出する封止部分３３を小さくすることができるので、図４に示すように、表示素子３１の表示領域を一定の大きさＷに形成しても、腕時計ケース２０全体の小型化を図ることができる。すなわち、この表示装置３０を腕時計ケース２０に組み込んだ場合には、図４に示すように、表示素子３１の端部から側方に突出した封止部分３３が表面保護膜３の厚み（約１８８．５μｍ≒約２.０ｍｍ）とほぼ同じ大きさになる。
【００５７】
これに対し、図６に示すように、表面保護膜３の端部を表示素子３１の端面から側方に延出させ、この延出した表面保護膜３の端部を背面保護膜４の端部上面に重ね合わせて接合した従来構造の表示装置３４の場合には、表示素子３１の端部から側方に突出して接合された封止部分３５全体の長さが約３.５ｍｍの大きさになる。つまり、この封止部分３５全体の突出した長さは、表面保護膜３の厚み（約２.０ｍｍ）と接合部の長さ（約１.５ｍｍ）との和（３.５ｍｍ＝２.０ｍｍ＋１.５ｍｍ）である。
【００５８】
従って、表面保護膜３を表示素子３１の端面に沿って折り曲げ、その先端部３ａを背面保護膜４の下面に折り曲げて接合したこの実施形態２の表示装置３０では、図４示すように、ハウジング２３の鍔部２３ａが表示素子３１の端部から側方に突出した封止部分３３に対応する大きさ（Ｈ１＝約２.０ｍｍ）に形成される。これに対し、表面保護膜３の端部を表示素子３１の端面から側方に延出させ、この延出した表面保護膜３の端部を背面保護膜４の端部上面に重ね合わせて接合した従来構造の表示装置３４では、図６に示すように、ハウジング２３の鍔部２４ｂが表示素子３１の端部から側方に突出した封止部分３５に対応する大きさ（Ｈ２＝約３.５ｍｍ）に形成される。
【００５９】
これにより、腕時計ケース２０の肉厚Ｔ１とハウジング２３の肉厚Ｔ２とを一定の厚みに形成し、表示領域を一定の大きさＷに形成した場合、表面保護膜３を表示素子３１の端面に沿って折り曲げ、その先端部３ａを背面保護膜４の下面に折り曲げて接合した図４に示すこの実施形態２の表示装置３０は、図６に示すように、表面保護膜３の端部を表示素子３１の端面から側方に延出させ、この延出した表面保護膜３の端部を背面保護膜４の端部上面に重ね合わせて接合した従来構造の表示装置３４よりも、両者の封止部分３３、３５の差の分だけ、ハウジング２３の外形を小さくすることができ、これにより腕時計ケース２０全体の外形を小さくすることができる。
【００６０】
また、この表示装置３０においても、表面保護膜３が、防湿性の高い合成樹脂製の第１表面フィルム層１１と、紫外線吸収機能を備えた合成樹脂製の第２表面フィルム層１２との２層構造であることにより、表示層であるＥＬ発光層３２が湿気に弱くても、第１表面フィルム層１１によってＥＬ発光層３２に対する防湿性を確保することができ、またＥＬ発光層３２が紫外線に弱くても、第２表面フィルム層１２によってＥＬ発光層３２を紫外線から保護することができ、これにより表示層であるＥＬ発光層３２が湿気や紫外線によって劣化するのを防ぐことができるので、耐久性の高いものを得ることができる。
【００６１】
なお、上記実施形態１または２では、表示装置１、３０を腕時計に適用した場合について述べたが、これに限らず、トラベルウオッチ、目覚まし時計、置き時計、掛け時計などの時計に適用することができるほか、時計に限らず、携帯電話機、電卓、電子辞書、カーナビゲータなどの各種の電子機器に広く適用することができる。
【図面の簡単な説明】
【００６２】
【図１】この発明の実施形態１に係わる表示装置を示した要部の拡大断面図である。
【図２】図１の表示装置を腕時計に組み込んだ状態の要部を示した断面図である。
【図３】この発明の実施形態２に係わる表示装置を示した要部の拡大断面図である。
【図４】図３の表示装置を腕時計に組み込んだ状態の要部を示した断面図である。
【図５】従来構造の表示装置を腕時計に組み込んだ状態の要部を示した断面図である。
【図６】従来構造の表示装置を腕時計に組み込んだ状態の要部を示した断面図である。
【符号の説明】
【００６３】
１、３０  表示装置
２、３１  表示素子
３  表面保護膜
３ａ  表面保護膜の先端部
４  背面保護膜
５  表面電極層
６  背面電極層
７  表示層
９  マイクロカプセル
１１  第１表面フィルム層
１２  第２表面フィルム層
１８、３３  封止部分
３２  ＥＬ発光層
【図１】
2008107438.tif 000003
【図２】
2008107438.tif 000004
【図３】
2008107438.tif 000005
【図４】
2008107438.tif 000006
【図５】
2008107438.tif 000007
【図６】
2008107438.tif 000008